(57)【要約】【課題】遊技者による発射レバーの手動回動操作に基づく発射装置本体の打球槌の回動による遊技球の発射を可能にするとともに、前面枠の開閉を可能にして、一体感のある遊技機の前面意匠面を実現すること。【解決手段】  発射装置１が、本体遊技盤取付枠１００側に配設され、発射レバー２が、前面枠１０１側に配設され、前記発射レバー２と前記発射装置１とを分離自在であって、遊技者による前記発射レバー２の回動操作に基づく回動動作に関しては機械的に連係する連係機構３を備え、前記連係機構３が、前記発射レバー２の回動動作に同期して回動する第１の連結部材３１と、前記打球槌の回動動作に同期して回動する第２の連結部材３２とから成り、前記第１の連結部材３１の一端の第１の係合部３１１と前記第２の連結部材３２の一端の第２の係合部３２１が係合して、前記発射レバー２の回動動作に対応する前記打球槌１１の回動動作を可能にする手動発射式遊技機。【選択図】図３
2008109964.tif 000002
【特許請求の範囲】
【請求項１】
回動する打球槌を備えた発射装置と、遊技者が回動操作する発射レバーとから成る手動発射式遊技機において、
前記発射装置が、本体遊技盤取付枠側に配設され、
前記発射レバーが、前面枠側に配設され、
前記発射レバーと前記発射装置とを分離自在であって、遊技者による前記発射レバーの回動操作に基づく回動動作に関しては機械的に連係する連係機構を備えている
ことを特徴とする手動発射式遊技機。
【請求項２】
請求項１において、
前記連係機構が、
前記発射レバーの回動動作に同期して回動する第１の連結部材と、
前記打球槌の回動動作に同期して回動する第２の連結部材とから成り、
前記第１の連結部材の一端の第１の係合部と前記第２の連結部材の一端の第２の係合部が係合して、前記発射レバーの回動動作に対応する前記打球槌の回動動作を可能にするように構成されている
ことを特徴とする手動発射式遊技機。
【請求項３】
請求項２において、
前記第１の係合部が、前記第１の連結部材の一端に長手方向に延在して形成したスロットによって構成され、
前記第２の係合部が、前記第２の連結部材の一端に突出形成されたピンによって構成され、
該ピンが、前記スロット内に介挿され、前記発射レバーの回動動作によって前記第１の連結部材が回動すると、前記ピンが、前記スロット内の長手方向の位置を変えつつ、前記第２の連結部材が回動するように構成されている
ことを特徴とする手動発射式遊技機。
【請求項４】
請求項３において、
前記第１の連結部材の他端にバネ部材の一端が係止され、遊技者が前記発射レバーを回動操作すると該バネ部材が伸びる方向に付勢されている
ことを特徴とする手動発射式遊技機。
【請求項５】
請求項４において、
前記前面枠が前記本体遊技盤取付枠に対して開けられた時には、前記打球槌の一端を係止して、前記打球槌を所定の位置に保持する保持機構が、前記本体遊技盤取付枠に配設されている
ことを特徴とする手動発射式遊技機。
【発明の詳細な説明】
【技術分野】
【０００１】
本発明は、遊技者が発射レバーを回動操作することにより、発射装置本体の打球槌が回動して遊技球を発射する手動発射式遊技機に関するものである。
【背景技術】
【０００２】
従来の手動発射式遊技機においては、図９ないし図１２に示されるように前面枠Ｆが、遊技盤の釘に引っ掛かった遊技球を取り除くために本体遊技盤取付枠Ｍの遊技盤に対応するガラス窓部分を主たる部分とするものであり、前記本体遊技盤取付枠Ｍの前面部分に開閉可能に配設され、前記前面枠Ｆの下部の本体遊技盤取付枠Ｕの前面右側部分に遊技者が回動操作する発射レバーＬが配設されるとともに、内部の対応する部分に打球槌が回動して遊技球を発射する発射装置本体Ｐが配設される、前記発射レバーＬと発射装置本体Ｐとを直結した一体的な構成のものであった。
【発明の開示】
【発明が解決しようとする課題】
【０００３】
しかしながら、現在実用されている遊技機にあっては、意匠効果その外の理由により、前面枠が、本体遊技盤取付枠の前面全体を被うとともに、遊技盤に対応するガラス窓部分と、その下部に位置する遊技球供給皿や操作部が配置される前面下部部分とを一体構成とするのが主流となっているため、従来の本体遊技盤取付枠に配設されていた前記発射レバーと発射装置本体とを直結した一体的な構成のものは適用出来ないという問題があった。
【０００４】
すなわち、本体遊技盤取付枠に配設されていた前記発射レバーと発射装置本体とを直結した一体的な構成のものを、現在実用されている遊技機における本体遊技盤取付枠の前面全体を被う前記前面枠側に配設するのは、前記前面枠側が大掛かりとなるとともに、前記前面枠側に配設された前記発射装置本体の打球槌が回動して発射した遊技球を、前記本体遊技盤取付枠側の遊技盤の外周レールに沿って、滑らかに供給するためには、技術的工夫を施す必要があるという問題があった。
【０００５】
すなわち、発射装置本体を前面枠に配設してしまうと、前面枠自体はその開閉動作を確保するために前面枠を閉めた時に前面枠の軸部分だけクリアランスが発生することになり、発射装置本体の固定位置が安定しないので遊技盤との位置関係にもずれが生ずる。その結果発射球の球飛び具合にバラツキが生じることになるのである。
【０００６】
そこで、本発明者は、上述したように前記前面枠の一体構成化により、遊技者が回動操作する発射レバーはおのずと開閉する前記前面枠側の前面に配置されることになるが、打球槌が回動して遊技盤の外周レールに沿って遊技球を発射する発射装置本体は、前記本体遊技盤取付枠側に配設せざるを得ないという、すなわち発射レバーと発射装置本体とを前記前面枠側と前記本体遊技盤取付枠側とに分離して配置するという本願発明の基礎になった知見に到達したのである。
【０００７】
しかしながら、前記前面枠は必要に応じて開閉する必要があるとともに、遊技者による発射レバーの回動操作に応じて  前記本体遊技盤取付枠側に配設された発射装置本体の打球槌を回動させる必要があることから、本発明者は、発射レバーと発射装置本体との間に連係機構を介挿し、前記前面枠が開けられた時には連係機構が分離するとともに、前記前面枠が閉められた時には遊技者による前記発射レバーの回動操作に基づく回動動作に関しては機械的に連係して、発射装置本体の打球槌の回動および遊技球の発射を可能にするという本願発明の基本的な技術的思想に着眼したのである。
【０００８】
本発明者は、着眼した上述の技術的思想に基づき、更に研究開発を重ねた結果、一体構成化された前面枠を備える遊技機において、遊技者による発射レバーの手動回動操作に基づく発射装置本体の打球槌の回動による遊技球の発射を可能にするとともに、前記前面枠の開閉を可能にして、一体感のある遊技機の前面意匠面を実現するという目的を達成する本発明に到達した。
【課題を解決するための手段】
【０００９】
本発明（請求項１に記載の第１発明）の手動発射式遊技機は、
回動する打球槌を備えた発射装置と、遊技者が回動操作する発射レバーとから成る手動発射式遊技機において、
前記発射装置が、本体遊技盤取付枠側に配設され、
前記発射レバーが、前面枠側に配設され、
前記発射レバーと前記発射装置とを分離自在であって、遊技者による前記発射レバーの回動操作に基づく回動動作に関しては機械的に連係する連係機構を備えている
ものである。
【００１０】
本発明（請求項２に記載の第２発明）の手動発射式遊技機は、
前記第１発明において、
前記連係機構が、
前記発射レバーの回動動作に同期して回動する第１の連結部材と、
前記打球槌の回動動作に同期して回動する第２の連結部材とから成り、
前記第１の連結部材の一端の第１の係合部と前記第２の連結部材の一端の第２の係合部が係合して、前記発射レバーの回動動作に対応する前記打球槌の回動動作を可能にするように構成されている
ものである。
【００１１】
本発明（請求項３に記載の第３発明）の手動発射式遊技機は、
前記第２発明において、
前記第１の係合部が、前記第１の連結部材の一端に長手方向に延在して形成したスロットによって構成され、
前記第２の係合部が、前記第２の連結部材の一端に突出形成されたピンによって構成され、
該ピンが、前記スロット内に介挿され、前記発射レバーの回動動作によって前記第１の連結部材が回動すると、前記ピンが、前記スロット内の長手方向の位置を変えつつ、前記第２の連結部材が回動するように構成されている
ものである。
【００１２】
本発明（請求項４に記載の第４発明）の手動発射式遊技機は、
前記第３発明において、
前記第１の連結部材の他端にバネ部材の一端が係止され、遊技者が前記発射レバーを回動操作すると該バネ部材が伸びる方向に付勢されている
ものである。
【００１３】
本発明（請求項５に記載の第５発明）の手動発射式遊技機は、
前記第４発明において、
前記前面枠が前記本体遊技盤取付枠に対して開けられた時には、前記打球槌の一端を係止して、前記打球槌を所定の位置に保持する保持機構が、前記本体遊技盤取付枠に配設されている
ものである。
【発明の効果】
【００１４】
上記構成より成る第１発明の手動発射式遊技機は、回動する打球槌を備えた発射装置と、遊技者が回動操作する発射レバーとから成る手動発射式遊技機において、前記前面枠側に配設された前記発射レバーと前記本体遊技盤取付枠側に配設された前記発射装置とを分離自在であって、遊技者による前記発射レバーの回動操作に基づく回動動作に関しては前記連係機構によって機械的に連係するので、遊技者による前記発射レバーの手動回動操作に基づく前記発射装置本体の前記打球槌の回動による遊技球の発射を可能にするとともに、前記前面枠の開閉を可能にして、一体感のある遊技機の前面意匠面を実現するという効果を奏する。
【００１５】
上記構成より成る第２発明の手動発射式遊技機は、前記第１発明において、前記連係機構が、前記発射レバーの回動動作に同期して回動する前記第１の連結部材の一端の第１の係合部と前記打球槌の回動動作に同期して回動する前記第２の連結部材の一端の第２の係合部が係合して、前記発射レバーの回動動作に対応する前記打球槌の回動動作を可能にするので、遊技者による前記発射レバーの手動回動操作に基づく前記発射装置本体の前記打球槌の回動による遊技球の発射を可能にするという効果を奏する。
【００１６】
上記構成より成る第３発明の手動発射式遊技機は、前記第２発明において、前記第２の連結部材の一端に突出形成された前記第２の係合部としての前記ピンが、前記第１の連結部材の一端に長手方向に延在して形成した前記第１の係合部としての前記スロット内に介挿され、前記発射レバーの回動動作によって前記第１の連結部材が回動すると、前記ピンが、前記スロット内の長手方向の位置を変えつつ、前記第２の連結部材が回動するので、遊技者による前記発射レバーの手動回動操作に基づく前記発射装置本体の前記打球槌の回動による遊技球の発射を可能にするとともに、前記前面枠の開閉を可能にするという効果を奏する。
【００１７】
上記構成より成る第４発明の手動発射式遊技機は、前記第３発明において、
前記第１の連結部材の他端にバネ部材の一端が係止され、遊技者が前記発射レバーを回動操作すると該バネ部材が伸びる方向に付勢されているので、遊技者が前記発射レバーから指を離すと伸びる方向に付勢された前記バネ部材の付勢力により、前記第１および第２の連結部材を介して、前記発射装置本体の前記打球槌を回動させ、遊技球の発射を可能にするという効果を奏する。
【００１８】
上記構成より成る第５発明の手動発射式遊技機は、前記第４発明において、前記前面枠が前記本体遊技盤取付枠に対して開けられた時には、前記本体遊技盤取付枠に配設されている前記保持機構が、前記打球槌の一端を係止して、前記打球槌を所定の位置に保持するという効果を奏する。
【発明を実施するための最良の形態】
【００１９】
以下本発明の最良の実施の形態につき実施例に基づき、図面を用いて説明する。
【実施例１】
【００２０】
本第１実施例の手動発射式遊技機は、図１ないし図６に示されるように回動する打球槌１１を備えた発射装置１と、遊技者が回動操作する発射レバー２とから成る手動発射式遊技機において、前記発射装置１が、本体遊技盤取付枠１００側に配設され、前記発射レバー２が、前面枠１０１側に配設され、前記発射レバー２と前記発射装置１とを分離自在であって、遊技者による前記発射レバー２の回動操作に基づく回動動作に関しては機械的に連係する連係機構３を備え、前記連係機構３が、前記発射レバー２の回動動作に同期して回動する第１の連結部材３１と、前記打球槌の回動動作に同期して回動する第２の連結部材３２とから成り、前記第１の連結部材３１の一端の第１の係合部３１１と前記第２の連結部材３２の一端の第２の係合部３２１が係合して、前記発射レバー２の回動動作に対応する前記打球槌１１の回動動作を可能にするように構成されているものである。
【００２１】
本第１実施例の手動発射式遊技機では、図１および図２に示されるように遊技盤１０内に複数の入賞口１１０および回転部材を備えた入賞装置１２０が配設されている。
【００２２】
前記発射レバー２は、図１、図３および図４に示されるように前面枠１０１の前面において、遊技盤１０の下方に相当する前面枠１０１の下部右方の所定位置の前方に突出して配設され、前面枠１０１の前面に平行に延在する遊技者が親指で時計方向に揺動操作するノの字状の先端操作部２１と、該先端操作部２１の基部に対して直交関係に一体的に配設され前面枠１０１の前面に垂直に貫通突設して前面枠１０１内に固定された軸受２３によって回転自在に支持された垂直部２２とから成る。
【００２３】
係止部２０が、図１、図３および図４に示されるように前面枠１０１の前面下部左方の前記発射レバー２の前記垂直部２２より横方向右方斜め下方の所定位置に前方に突出して配設され、遊技者が親指で前記ノの字状の先端操作部２１を時計方向に揺動操作する時に、例えば遊技者が小指または薬指を係止することにより、前記先端操作部２１の時計方向の揺動操作における揺動角の設定を容易かつ確実にするように構成されている。
【００２４】
前記発射装置１は、図２および図３に示されるように本体遊技盤取付枠１００内の前記遊技盤１０の下方に相当する本体遊技盤取付枠１００内の下部の中央部に、交差部１２を支点として揺動する略Ｌ字状の部材１０Ｌであって、時計方向に揺動して下端の突起部によって、遊技球を発射する打球槌１１が構成される。
【００２５】
前記第１の係合部３１１は、前記第１の連結部材３１の一端に長手方向に延在して形成したスロット３１２によって構成され、前記第２の係合部３２１は、前記第２の連結部材３２の一端に突出形成された先端先細のピン３２２によって構成され、該ピン３２２が、前記スロット３１２内に介挿され、前記発射レバー２の回動動作によって前記第１の連結部材３１が回動すると、前記ピン３２２が、前記スロット３１２内の長手方向の位置を変えつつ、前記第２の連結部材３２が回動するように構成されているものである。
【００２６】
前記打球槌１１の回動駆動源としてのバネ部材５は、一定長さで所定のバネ定数のコイルスプリング５０より成り、前記第１の連結部材３１の他端３１３に一端５１が係止されるとともに、他端５２が前記前面枠１０１の横方向左方の所定位置に係止され、遊技者が前記発射レバー２を時計方向に回動操作すると該バネ部材が伸びる方向に付勢されるように構成され、遊技者が前記発射レバー２から指を離すと伸びる方向に付勢された前記バネ部材５の付勢力により、前記第１および第２の連結部材３１、３２を介して、前記発射装置本体１の前記打球槌１１を回動させ、遊技球の発射を可能にするように構成されている。
【００２７】
前記第１の連結部材３１は、図３および図４に示されるように長片３１４と短片３１５との交差部３１６を支点として揺動する略Ｌ字状の第１の揺動部材３１７から成り、前記交差部３１６において、前記発射レバー２の前記垂直部２２と一体的に固定され、前記垂直部２２を回転自在に支持する前記前面枠１０１内に固定された前記軸受２３によって、前記第１の連結部材３１の前記支点が構成される。
【００２８】
前記第２の連結部材３２が、図３に示されるように略直交する２片３２３、３２４の一方の片３２３の一端３２５を支点として揺動する略Ｌ字状の第２の揺動部材３２６から成り、直交する２片の交差部３２７に対応する部位に前記打球槌１１が配設されている。
【００２９】
保持機構６は、図４および図７に示されるように前記前面枠１０１が前記本体遊技盤取付枠１００に対して開けられた時には、前記打球槌１１の一端を先端６１によって係止して、前記打球槌１１を所定の位置に保持するもので、他端６２がビスによって前記本体遊技盤取付枠１００に係止された位置決め弁としての横断面形状ノの字状のバネ部材６０によって構成されている。
【００３０】
すなわち前面枠１０１が開放された状態では、位置決め弁としての前記バネ部材６０の先端が手前方向へ弾性力によって突出し、前記打球槌が支点周りに揺動して右に移動するのを阻止し、前記打球槌１１の位置を安定させるものである。
【００３１】
前記打球槌１１の位置が安定することにより、前記第２の連結部材３２の連結ピン３２２の位置も固定されるので、前記前面枠を閉める時に前記第１の連結部材３１および前記第２の連結部材３２が位置ズレを起こすこと無くスムースに連結されるように構成されている。
【００３２】
上記構成より成る第１実施例の手動発射式遊技機は、遊技者が小指または薬指を前記係止部２０に係止して、親指で前記発射レバー２の前記ノの字状の先端操作部２１を時計方向に揺動操作することにより、図６（Ａ）から図６（Ｃ）に示されるように前記発射レバー２の揺動に応じて前記ピン３２２が、前記スロット３１２内の長手方向に移動して第１の連結部材３１および第２の連結部材３２が揺動して、図６（Ｃ）に示される状態で遊技者が親指を前記発射レバー２から離すと、図６（Ｃ）に示される位置の前記打球槌１１が前記バネ部材５の付勢力によって時計方向に揺動して、遊技球を弾発、発射するものである。
【００３３】
すなわち本第１実施例の手動発射式遊技機は、前記第１の係合部３１１が、前記第１の連結部材３１の一端に長手方向に延在して形成したスロット３１２によって構成され、前記第２の係合部３２１が、前記第２の連結部材３２の一端に突出形成されたピン３２２によって構成され、該ピン３２２が、前記スロット３１２内に介挿され、前記発射レバー２の回動動作によって前記第１の連結部材３１が回動すると、前記ピン３２２が、前記スロット３１２内の長手方向の位置を変えつつ、前記第２の連結部材３２が回動するのである。
【００３４】
また前記第２の係合部３２１としての前記第２の連結部材３２の一端に突出形成されたピン３２２が、前記第１の連結部材３１の一端に形成された前記スロット３１２内に介挿されているだけであるので、図６（Ａ）に示される前記発射レバー２が揺動していない戻っている状態において、幅方向の左端を支点として前記前面枠１０１が開けられると、ピン３２２が、前記スロット３１２から抜けることにより、前記第１の連結部材３１と前記第２の連結部材３２との連結状態が解除される。
【００３５】
さらに前面枠１０１が閉じられている状態では、位置決め弁としての保持機構６の前記バネ部材６０の先端（左端）６１が、前記前面枠１０１によって前記本体遊技盤取付枠１００の奥の方向に押し込まれ図７中破線で示される真っ直ぐな状態になっているので、前記打球槌１１の一端とは係止していないため、前記打球槌１１は前記第２の連結部材３２の揺動に応じて一体的に揺動可能である。
【００３６】
前記前面枠１０１が開けられ開放された状態では、位置決め弁としての保持機構６の前記バネ部材６０の先端（左端）６１が手前方向へ弾性力によって突出し、図７中実戦で示されるノの字状の自由状態となり、前記打球槌１１の一端を係止するため、前記打球槌１１が支点周りに揺動して右に移動するのを阻止し、前記打球槌１１の位置を安定させるものである。
【００３７】
前記打球槌１１の位置が安定しているので、前記第２の連結部材３２の連結ピン３２２の位置も位置決めされるため、前記第２の連結部材３２の先端先細の前記ピン３２２が滑らかに前記第１の連結部材３１の前記スロット３１２内に介挿され、前記前面枠１０１を閉める時に前記第１の連結部材３１の前記スロット３１２および前記第２の連結部材３２の前記ピン３２２が位置ズレを起こすこと無くスムースに連結され、遊技の迅速な再開を可能にするものである。
【００３８】
上記作用を奏する本第１実施例の手動発射式遊技機は、回動する前記打球槌１１を備えた発射装置本体１と、遊技者が回動操作する発射レバー２とから成る手動発射式遊技機において、前記前面枠側１０１に配設された前記発射レバー２と前記本体遊技盤取付枠１００側に配設された前記発射装置１とを分離自在であって、遊技者による前記発射レバーの回動操作に基づく回動動作に関しては前記連係機構３によって機械的に連係するので、遊技者による前記発射レバー２の手動回動操作に基づく前記発射装置本体１の前記打球槌１１の回動による遊技球の発射を可能にするとともに、前記前面枠１０１の開閉を可能にして、一体感のある遊技機の前面意匠面を実現するという効果を奏する。
【００３９】
また本第１実施例の手動発射式遊技機は、前記連係機構３が、遊技者による前記発射レバー２の回動動作およびリリースの回動動作に同期して回動および復帰回動する前記第１の連結部材３１の一端の第１の係合部３１１と前記打球槌１１の回動動作に同期して回動する前記第２の連結部材３２の一端の第２の係合部３２１が係合して、前記発射レバー２の回動動作およびリリースの回動動作に対応する前記打球槌の回動動作および復帰回動による発射動作を可能にするので、遊技者による前記発射レバー２の手動回動操作およびリリースの回動動作に基づく前記発射装置本体の前記打球槌の回動動作および復帰回動による発射動作による遊技球の発射を可能にするという効果を奏する。
【００４０】
さらに第１実施例の手動発射式遊技機は、前記第２の連結部材３２の一端に突出形成された前記第２の係合部としての前記ピン３２２が、前記第１の連結部材３１の一端に長手方向に延在して形成した前記第１の係合部としての前記スロット３１２内に介挿され、前記発射レバー２の回動動作およびリリースの回動動作によって前記第１の連結部材３１が回動すると、前記ピン３２２が、前記スロット３１２内の長手方向の位置を変えつつ、前記第２の連結部材３２が回動するので、遊技者による前記発射レバー２の手動回動操作およびリリースの回動動作に基づく前記発射装置本体の前記打球槌の回動動作および復帰回動による発射動作による遊技球の発射を可能にするとともに、前記前面枠１０１の開閉を可能にするという効果を奏する。
【００４１】
また本第１実施例の手動発射式遊技機は、前記第１の連結部材３１の他端に前記バネ部材５の一端が係止され、遊技者が前記発射レバー２を回動操作すると該バネ部材５が伸びる方向に付勢されているので、遊技者が前記発射レバー２から指を離すと伸びる方向に付勢された前記バネ部材５のバネ定数および伸び（発射レバー２の揺動角）に応じた付勢力により、前記第１および第２の連結部材３１、３２を介して、前記発射装置本体１の前記打球槌１１を回動させ、遊技者の希望した強さでの遊技球の発射を可能にするという効果を奏する。
【００４２】
さらに本第１実施例の手動発射式遊技機は、遊技者が前記発射レバー２から指を離すと伸びる方向に付勢された前記バネ部材５の付勢力により、前記長片３１４と前記短片３１５との前記交差部３１６を支点として前記第１の連結部材３１としての略Ｌ字状の第１の揺動部材が揺動して、略直交する２片３２３、３２４の一方の片３２３の一端を支点として前記第２の連結部材としての略Ｌ字状の第２の揺動部材が揺動するので、直交する２片の交差部３２７に配設された前記打球槌１１が、前記第２の揺動部材の一端を支点として回動して、遊技球の発射を可能にするという効果を奏する。
【００４３】
また本第１実施例の手動発射式遊技機は、前記前面枠１０１が前記本体遊技盤取付枠１００に対して開けられた時には、前記本体遊技盤取付枠１００に配設されている前記保持機構６の先端６１が、前記打球槌１１の一端を係止して、前記打球槌を所定の位置に保持するという効果を奏する。
【００４４】
すなわち前面枠１０１が開放された状態では、位置決め弁としての前記バネ部材６０の先端６１が手前方向へ弾性力によって突出し、前記打球槌１１が支点周りに揺動して右に移動するのを阻止し、前記打球槌１１の位置を安定させるものである。
【００４５】
前記打球槌１１の位置が安定しているので、一体的に配設された前記第２の連結部材３２の連結ピン３２２の位置も位置決めされるため、前面枠１０１が閉じられる時には、前記第２の連結部材３２の先端先細の前記ピン３２２が滑らかに前記第１の連結部材３１の前記スロット３１２内に介挿され、前記第１の連結部材３１の前記スロット３１２および前記第２の連結部材３２の前記ピン３２２が位置ズレを起こすこと無くスムースに連結され、遊技の迅速な再開を可能にするものである。
【００４６】
現在開発され実用されている遊技機にあっては、意匠効果等の理由により長い年月を経て前記前面枠１０１を一体構成するのが主流となっているが、本第１実施例においては、前記前面枠１０１の一体構成により発射ハンドル２もおのずと前記前面枠１０１側に配置されることになり、結果として発射ハンドル２と発射装置１とが分離構造になったのである。
【００４７】
自動発射装置の場合においては、発射ハンドルと発射装置とをリード線他の配線等の取り回しにより電気的接続を実現すれば良いため、発射ハンドルと発射装置の自由な配置を採用することが出来るが、バネ部材を駆動源とする機械的発射機構の手動発射装置にあっては前記自動発射の様にはいかず、発射レバーと打球槌とを機械的に連結することが必須事項である。
【００４８】
また、従来の手動式発射装置が主流だった時代においては、前面枠Ｆが、遊技盤の釘に引っ掛かった遊技球を取り除くために本体遊技盤取付枠Ｍの遊技盤に対応するガラス窓部分のみから成っており、前面部分に開閉可能に配設され、前記前面枠Ｆの下部の本体遊技盤取付枠前面右側部分Ｕに遊技者が回動操作する発射レバーＬが配設されるとともに、内部の対応する部分に打球槌が回動して遊技球を発射する発射装置本体Ｐが配設され、前記発射レバーＬと発射装置本体Ｐとを直結した一体的な構成のものであったため、分離構造とする必要性および発想自体が無かったのである。
【００４９】
よって本第１実施例においては、前記前面枠１０１に発射レバー２を配設するとともに、遊技盤取付枠１００に発射装置１を配置する遊技機において、前記前面枠１０１の開閉による前記発射装置１のスムースな連結を可能にする連結機構の開発、実現を目的とするものである。
【００５０】
前記遊技盤取付枠１００側に前記発射装置本体１を配設するとともに、前記前面枠１０１側に前記発射レバー２をそれぞれ配置したパチンコ遊技機の発射装置において、発射装置本体側１では、前記打球槌１１の回動操作に同期する第２の連結部材３２を取り着けるとともに、前記発射レバー２側では発射レバー２の回動動作に同期する第１の連結部材３１を設け、前記前面枠１０１を閉鎖する時に、第１の連結部材３１と第２の連結部材３２とが連結される構造とするものであって、前記前面枠１０１の開放時にあっては、前記打球槌１１を所定の位置で保持できるよう位置決め弁としての保持機構６を備えているので、従来の手動発射式の遊技機にあっては、上述したように発射レバー２を避けるように前面枠（ガラス枠）を構成していたが、本第１実施例においては、前記発射レバー２が前記前面枠１０１に配置できるので意匠面において一体感のある構成を実現するメリットが有る。
【００５１】
上述の実施例は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００５２】
上述の第１実施例においては、一例として前記打球槌１１の回動駆動源としてのバネ部材５は、前記第１の連結部材３１の他端３１３に一端５１が係止されるとともに、他端５２が前記前面枠１０１の横方向左方の所定位置に係止される例について説明したが、本発明としてはそれらに限定されるものでは無く、例えば図８に示すように前記前面枠１０１の前面の所定位置に配設したつまみ８を回すことにより、該つまみ８と一体的に回動するピニオン８１が回動するため一端８０１が前記バネ部材５の他端５２を係止したラック８０が左右の直線的に移動するラックアンドピニオン機構によって、前記一端８０１の位置を変えることにより前記バネ部材５の他端５２の係止位置を変えることによって、前記発射レバー２を回動操作した時の前記バネ部材５の実質的な伸び量を変えることにより、遊技者がバネ部材５の強さを好みのバネ強さ（遊技球の飛び）に調整できる態様を採用することが出来る。
【産業上の利用可能性】
【００５３】
回動する打球槌を備えた発射装置と、遊技者が回動操作する発射レバーとから成る手動発射式遊技機において、前記発射装置が、本体遊技盤取付枠側に配設され、前記発射レバーが、前面枠側に配設され、前記発射レバーと前記発射装置とを分離自在であって、遊技者による前記発射レバーの回動操作に基づく回動動作に関しては機械的に連係する連係機構を備え、前記連係機構が、前記発射レバーの回動動作に同期して回動する第１の連結部材と、前記打球槌の回動動作に同期して回動する第２の連結部材とから成り、前記第１の連結部材の一端の第１の係合部と前記第２の連結部材の一端の第２の係合部が係合して、前記発射レバーの回動動作に対応する前記打球槌の回動動作を可能にするとともに、一体感のある遊技機の前面意匠面を実現する用途にも適用できる。
【図面の簡単な説明】
【００５４】
【図１】本発明の第１実施例の手動発射式遊技機を示す正面図である。
【図２】本第１実施例の手動発射式遊技機の前面枠が開けられた状態を示す正面図である。
【図３】本第１実施例の手動発射式遊技機における発射レバー、発射装置、連係機構を示す部分拡大正面図である。
【図４】本第１実施例の手動発射式遊技機における発射レバー、発射装置、連係機構を示す部分拡大平面図である。
【図５】本第１実施例の手動発射式遊技機における保持機構を示す部分拡大平面図である。
【図６】本第１実施例の手動発射式遊技機における発射レバーの揺動の開始時点、揺動途中、揺動終了時点に対応する連係機構および打球槌の回動の状態をそれぞれ説明するための説明図である。
【図７】本第１実施例の手動発射式遊技機における保持機構の係止状態を示す部分拡大平面図である。
【図８】本発明のその他の実施形態を説明するための部分拡大説明図である。
【図９】従来の手動発射式遊技機を示す正面図である。
【図１０】従来の手動発射式遊技機の前面枠が開けられた状態を示す正面図である。
【図１１】従来の手動発射式遊技機における発射レバーおよび発射装置を示す部分拡大正面図である。
【図１２】従来の手動発射式遊技機における発射レバーおよび発射装置を示す部分拡大平面図である。
【符号の説明】
【００５５】
１  発射装置
２  発射レバー
３  連係機構
１１  打球槌
３１  第１の連結部材
３２  第２の連結部材
１００  本体遊技盤取付枠
１０１  前面枠
３１１  第１の係合部
３２１  第２の係合部
【図１】
2008109964.tif 000003
【図２】
2008109964.tif 000004
【図３】
2008109964.tif 000005
【図４】
2008109964.tif 000006
【図５】
2008109964.tif 000007
【図６】
2008109964.tif 000008
【図７】
2008109964.tif 000009
【図８】
2008109964.tif 000010
【図９】
2008109964.tif 000011
【図１０】
2008109964.tif 000012
【図１１】
2008109964.tif 000013
【図１２】
2008109964.tif 000014